(57)【要約】【課題】排紙トレイ装着口に管理者を持たない者の排紙トレイが装着されて矛盾が生じた状態であっても、矛盾したままの状態で装置が排紙動作を行う。【解決手段】排紙トレイ９１は、排紙装置部９から排紙される用紙をストックするトレイであり、各排紙トレイ９１には、個別にＩＤ情報を格納したＩＤメモリ９８と排紙トレイ９１から排紙が取出可能か否かの物理的なロックを行う取出ロック９７が搭載され、排紙トレイロック制御部９３によって、排紙トレイ９１に搭載されたＩＤメモリ９８に格納されているＩＤ情報に基づいて所定の排紙トレイ９１に排紙動作を行う。【選択図】図１
2009184240.tif 000002
【特許請求の範囲】
【請求項１】
ＩＤ情報を格納したＩＤ格納手段が設けられ、排紙取出ロックが可能な複数の排紙トレイを排紙トレイ装着口に着脱自在に装着可能であって、
排紙動作時に前記排紙トレイの前記ＩＤ格納手段に格納されたＩＤ情報に基づいて所定の排紙トレイに排紙を行わせる手段を備えている
ことを特徴とする画像形成装置。
【請求項２】
請求項１に記載の画像形成装置において、前記ＩＤ格納手段に格納されるＩＤ情報には、ユーザＩＤ、ユーザパス、ユーザ設定のＯＮ／ＯＦＦ、排紙可能最大用紙サイズ、排紙可能用紙向き、排紙取出ロックのＯＮ／ＯＦＦ、排紙トレイ装着ロックのＯＮ／ＯＦＦ、排紙ジョブ選択のＯＮ／ＯＦＦの少なくともいずれかを含むことを特徴とする画像形成装置。
【請求項３】
請求項１又は２に記載の画像形成装置において、前記ＩＤ格納手段は非接触型記憶素子又は接触型記憶素子であることを特徴とする画像形成装置。
【請求項４】
ＩＤ情報を格納したＩＤ格納手段が設けられ、排紙取出ロックが可能な複数の排紙トレイを排紙トレイ装着口に着脱自在に装着可能な画像形成装置の排紙動作時に前記排紙トレイの前記ＩＤ格納手段に格納されたＩＤ情報に基づいて所定の排紙トレイに排紙を行わせる処理をコンピュータに行わせることを特徴とするプログラム。
【発明の詳細な説明】
【技術分野】
【０００１】
本発明は画像形成装置及びプログラムに関し、特に複数の排紙トレイを着脱自在に装着可能な画像形成装置及び複数の排紙トレイのうちから排紙を行う排紙トレイを選択するためのプログラムに関する。
【背景技術】
【０００２】
一般に、プリンタ、ファックス、コピア、プロッタ、或いはこれらの内の複数の機能を複合した画像形成装置を複数の端末装置で共有することが行われるようになっており、また、排紙された文書等が他人に取り出されないようにするために、物理的に排紙取出しをロックする機構（排紙取出ロック機構）を備える排紙トレイが知られている。
【０００３】
そして、排紙取出ロックが可能な排紙トレイを複数備えることにより、利用者が出力タイミングを気にせずに、印刷物の機密性を保持できる印刷システム（特許文献１）やＩＤ情報を付与した印刷ジョブを、排紙取出ロックが可能な排紙トレイに出力し、ＩＤカードにより排紙取出ロックを解除し、排紙を取出し可能とする装置なども知られている。
【０００４】
【特許文献１】特開２００６−０３５５３１号公報
【特許文献２】特開２００４−３３８１９５号公報
【特許文献３】特開２００６−３２７１６４号公報
【特許文献４】特許第２９３２３９６号公報
【特許文献５】特開平７−３３６４８９号公報
【発明の開示】
【発明が解決しようとする課題】
【０００５】
上述したように、排紙取出ロックが可能な排紙トレイを複数備えることにより、利用者が出力タイミングを気にせずに印刷物の機密性を保持できる印刷システム、排紙取出ロックが可能な排紙トレイにＩＤ情報を付与した印刷ジョブを出力することで、ＩＤカードにより排紙取出ロックを解除して排紙を取出し可能とする装置が知られている。
【０００６】
しかしながら、従前の排紙取出ロックが可能な排紙トレイを複数備える装置では、排紙トレイのセキュリティ情報管理が、全て装置本体側でのみ管理されているため、排紙トレイ（特に着脱可能な排紙トレイ）そのものにセキュリティ情報管理がなされる訳ではなく、排紙装置上の排紙トレイ着脱口にセキュリティがかけられている状態となっている。
【０００７】
仮に、排紙トレイそのものに管理が不要であるとした場合、上述した従前の構成では、Ａという管理者を持つ排紙トレイを、Ｂという管理者を持つ排紙トレイ装着口に装着して、矛盾が生じた状態であったとしても、矛盾したままの状態で装置が動作するという課題がある。
【０００８】
また、従前の排紙取出ロックが可能な排紙トレイは、密閉性を要求されるために排出可能な排紙のサイズが有限であるにもかかわらず、排紙トレイとしての属性管理が実施されていなかったため、排紙トレイと排紙のサイズ違い等のジャムが発生するという課題がある。
【０００９】
また、従前の排紙取出ロックが可能な排紙トレイは、ユーザ情報でのみ排紙振分を実施しているため、排紙トレイ上には、プリンタ、コピー、ファックスの各種機能によって排紙が混在する形で排出されている。ここで、プリンタやコピーでは、ユーザの意図するタイミングで排紙されるのに対して、ファックスによる排紙は、ユーザの意図しないタイミングで自動的に排紙される。そのため、プリンタやコピー排紙の間にファックスの排紙が混在していた場合に、ユーザが気が付かないという課題がある。
【００１０】
また、従前の排紙取出ロックが可能な排紙トレイは、排紙トレイのロックを単一のものとして扱っていることから、ロック解除権限をもつユーザが排紙を回収しないために排紙トレイが長時間占有されてしまうという課題がある。
【００１１】
本発明は上記の課題に鑑みてなされたものであり、排紙トレイにＩＤ情報を持つことで排紙トレイが装着される排紙トレイ装着口が変更されても、矛盾なく所要の排紙トレイへの排出動作を行えるようにすることを目的とする。
【課題を解決するための手段】
【００１２】
上記の課題を解決するため、本発明に係る画像形成装置は、
ＩＤ情報を格納したＩＤ格納手段が設けられ、排紙取出ロックが可能な複数の排紙トレイを着脱自在に装着可能であって、
排紙動作時に前記排紙トレイの前記ＩＤ格納手段に格納されたＩＤ情報に基づいて所定の排紙トレイに排紙を行わせる手段を備えている
構成とした。
【００１３】
ここで、前記ＩＤ格納手段に格納されるＩＤ情報には、ユーザＩＤ、ユーザパス、ユーザ設定のＯＮ／ＯＦＦ、排紙可能最大用紙サイズ、排紙可能用紙向き、排紙取出ロックのＯＮ／ＯＦＦ、排紙トレイ装着ロックのＯＮ／ＯＦＦ、排紙ジョブ選択のＯＮ／ＯＦＦの少なくともいずれかを含む構成とできる。
【００１４】
また、前記ＩＤ格納手段は非接触型記憶素子又は接触型記憶素子である構成とできる。
【００１５】
本発明に係るプログラムは、
ＩＤ情報を格納したＩＤ格納手段が設けられ、排紙取出ロックが可能な複数の排紙トレイを着脱自在に装着可能な画像形成装置の排紙動作時に前記排紙トレイの前記ＩＤ格納手段に格納されたＩＤ情報に基づいて所定の排紙トレイに排紙を行わせる処理をコンピュータに行わせる
構成とした。
【発明の効果】
【００１６】
本発明に係る画像形成装置によれば、ＩＤ情報を格納したＩＤ格納手段が設けられ、排紙取出ロックが可能な複数の排紙トレイを着脱自在に装着可能であって、排紙動作時に排紙トレイのＩＤ格納手段に格納されたＩＤ情報に基づいて所定の排紙トレイに排紙を行わせる手段を備えているので、排紙トレイが装着される排紙トレイ装着口が変更されても、矛盾のない排紙動作を行うことができる。
【００１７】
本発明に係るプログラムによれば、ＩＤ情報を格納したＩＤ格納手段が設けられ、排紙取出ロックが可能な複数の排紙トレイを着脱自在に装着可能な画像形成装置の排紙動作時に排紙トレイのＩＤ格納手段に格納されたＩＤ情報に基づいて所定の排紙トレイに排紙を行わせる処理をコンピュータに行わせるので、排紙トレイが装着される排紙トレイ装着口が変更されても、矛盾のない排紙動作を行うことができる。
【発明を実施するための最良の形態】
【００１８】
以下、本発明の実施の形態について添付図面を参照して説明する。まず、本発明に係るプログラムを含む本発明に係る画像形成装置である複合機の一例について図１を参照して説明する。なお、図１は同画像形成装置の全体構成を説明するブロック説明図である。
この複合機１は、複写（コピーとスキャナ）装置部２と、画像形成（プリンタ）装置部３と、ファックス装置部４と、本発明に係る処理をコンピュータに行わせるプログラムを格納した記憶手段を含み、この複合機全体を制御するための複合機制御部５と、ＡＤＦ装置部６と、給紙装置部７と、搬送装置部８と、排紙装置部９とを備えている。
【００１９】
複写装置部２は、原稿画像を読取って複写物を生成する複写を行う。画像形成装置部３は、画像形成を行い、画像形成（プリント）のジョブを一時ストックするための記憶装置であるＨＤＤやメモリで構成されるストレージ３１を有している。ファックス装置部４は、ファックスの送受信を行う。
【００２０】
複合機制御部５は、装置全体の制御を司る制御部（ＣＰＵ）と、本発明に係るプログラムを含む各種プログラムの格納エリア、ワーキングエリアなどとして使用するＲＯＭ、ＲＡＭなどで構成される記憶部とを備えるとともに、ユーザＩＤやパスワード等が任意に記憶された非接触型記憶素子であるＲＦＩＤカード１０１の情報をリードライトするためのＲＦＩＤカードアンテナ５１と、ＲＦＩＤカードアンテナ５１にかざされたＲＦＩＤカード１０１の情報をリードライトするためのＲＦＩＤカードリーダライタ５１と、操作部５３も有している。
【００２１】
なお、本発明に係るプログラムは記憶媒体に格納されることで、容易に本発明に係るプログラムを提供することができる。また、後述する外部情報処理端末（情報処理装置）１０２から複合機制御部５の記憶部に本発明に係るプログラムをインストールすることもできる。
【００２２】
ＡＤＦ装置部６は、オートドキュメントフィードのための機能を有し、オートドキュメントフィードを行なう用紙を給紙するＡＤＦ給紙トレイ６１と、オートドキュメントフィードの実施後、用紙を排紙するＡＤＦ排紙トレイ６２とを有している。
【００２３】
給紙装置部７は、複合機処理に必要な用紙を給紙し機能を有し、給紙する用紙をストックする例えば用紙サイズ毎の複数の給紙トレイ７１Ａ、７１Ｂ、７１Ｃを有している。
【００２４】
搬送装置部８は、ＡＤＦ装置部６、複写装置部２、画像形成装置部３、ファックス装置部４、給紙装置部６、及び排紙装置部９の間の用紙搬送を行う。
【００２５】
排紙装置部９は、搬送装置部８から用紙を受け取り、各排紙トレイ９１（９１Ａ〜９１Ｎ）に排紙する。この排紙装置部９は、ＩＤ情報に基づき排紙トレイ９１の管理、排紙トレイロック制御部９３やＲＦＩＤリーダライタ９４の制御を行う排紙トレイ管理部９２を有している。
【００２６】
排紙トレイロック制御部９２は、排紙装置部９の各排紙トレイ装着口１１（１１Ａ〜１１Ｎ）にある各装着ロック１２（１２Ａ〜１２Ｎ）と、各排紙トレイ９１にある排紙取出ロック９７（９７Ａ〜９７Ｎ）の制御を行う。装着ロック１２は、排紙装置部９の各排出トレイ装着口１１にある、排紙トレイ９１を装着後にロックする排紙トレイ装着ロックである。装着口１１は、複合機１の排紙トレイ９１が装着される部分である。
【００２７】
なお、図１では排紙トレイ９１と排紙トレイ装着口１１の番号（Ａ〜Ｎ）が一致しているが、排紙トレイ９１が任意に入れ替った場合には一致しない。排紙トレイ装着口１１は、排紙トレイ９１のように物理的な移動はできない。これらの排紙トレイ装着口１１Ａ〜１１Ｎは排紙トレイ管理部９２で管理される。
【００２８】
ＲＦＩＤリーダライタ９４は、排紙装置部９の各排出トレイ装着口１１に装着された排紙トレイ９１のＩＤ格納手段としての非接触型記憶素子であるＩＤメモリ９８から、ＲＦＩＤ情報をリードライトするためのコントローラであり、複数あるＲＦＩＤアンテナ９９（９９Ａ〜９９Ｎ）を一括してコントロールする。ＲＦＩＤアンテナ９９は、排紙装置部９の各排出トレイ装着口１１に装着された排紙トレイ９１から、ＲＦＩＤ情報をリードライトするための通信用アンテナであり、排紙トレイ装着口１１及び排紙トレイ８１の個数に応じて用意される。
【００２９】
排紙トレイ共通９５は、ＩＤ情報を持たない排紙トレイであり、ＩＤ情報に基づく、排紙ロックや排紙振分が不要な排紙処理時に排紙トレイとして使用する。
【００３０】
排紙トレイ９１は、排紙装置部９から排紙される用紙をストックするトレイである。各排紙トレイ９１には、個別にＲＦＩＤ情報を格納したＩＤメモリ９８と取出ロック９７が搭載されている。取出ロック９７は、排紙取出ロックであり、排紙トレイ９１から排紙が取出可能か否かの物理的なロックを行う。この取出ロック９７は、排紙トレイロック制御部９３により、物理的なロックの設定及び解除が行われる。
【００３１】
ＵＳＢポート１５は、外部情報処理端末１０２等とＵＳＢを介して通信を行なうためのポート、ＬＡＮポート１６は外部情報処理端末１０２や外部メールサーバ１０３等とＬＡＮを介して通信を行なうためのポート、回線ポート１７は外部ＦＡＸ端末１０４とＰＳＴＮ、ＩＳＤＮ、ＰＢＸ等の電話回線を介して通信を行なうためのポートである。
【００３２】
外部情報処理端末１０２は、プリンタドライバ１０２ａを内蔵したパーソナルコンピュータ（ＰＣ）等であり、ＵＳＢやＬＡＮを介して複合機１へのジョブ送信が可能である。外部メールサーバ１０３は、ＬＡＮを介して複合機１とメール送受信が可能である。外部ＦＡＸ端末１０４は、電話回線を介して、複合機１とファックスの送受信を行なうことができる装置である。
【００３３】
次に、本発明に係る画像形成装置である複合機の他の例について図２を参照して説明する。なお、図２は同画像形成装置の全体構成を説明するブロック説明図である。
この複合機は、非接触型記憶素子を接触型素子に置き換えたものである。ここでは、前記図１と異なる部分のみ説明する。
【００３４】
ＩＤカードリーダライタ１５２は、ＩＤカードコネクタ１５１に接触した、ＩＤカード２０１の情報をリードライトする。ＩＤカードコネクタ１５１は、ＩＤカード２０１の情報をリードライトするためのコネクタ部であり、ＥＥＰＲＯＭ等のメモリをコネクトする電気式や、バーコード等の光学式、磁気テープを持った磁気式のコネクタに相当する。ＩＤカード２０１は、ユーザＩＤやパスワード等が任意に記憶されたＩＤつきのカードである。
【００３５】
ＩＤリーダライタ１９４は、排紙装置部９の各排出トレイ装着口１１に装着された排紙トレイ９１から、ＩＤ格納手段である接触型記憶素子であるＩＤメモリ１９８に格納されたＩＤ情報をリードライトするためのコントローラであり、複数あるＩＤコネクタ１９９を一括してコントロールする。ＩＤコネクタ１９９は、排紙装置部９の各排出トレイ装着口１１に装着された排紙トレイ９１から、ＩＤ情報をリードライトするための通信用コネクタであり、排紙トレイ装着口１１及び排紙トレイ９１の個数に応じて用意される。
【００３６】
排紙トレイ９１は排紙装置部９から排出される用紙をストックするトレイであり、各排紙トレイ９１には、個別にＩＤメモリ１９８と取出ロック９７が搭載されている。ＩＤメモリ１９８は、ＥＥＰＲＯＭ等の接触型記憶素子である。
【００３７】
ここで、これらの複合機において、各排紙トレイ９１のＲＦＩＤ９８又はＩＤメモリ１９８に格納するＩＤ情報としては、図３に示すように、排紙可能最大用紙サイズ（排紙可能用紙サイズＭＡＸ）、排紙取出ロック９７のＯＮ／ＯＦＦ、排紙ジョブ選択（プリント、コピー、ファックス、その他のＯＮ／ＯＦＦ）、ユーザ設定（ＩＤ，パスワード（ＰＡＳＳ）のＯＮ／ＯＦｆ）、ユーザＩＤ、ユーザパスワード（ユーザＰＡＳＳ）としている。
【００３８】
次に、排紙トレイ管理部９２で管理される排紙トレイ９１、１個当たりのＩＤ情報は、図４に示すようになっている。排紙トレイ装着検出と排紙トレイ装着ロックＯＮ／ＯＦＦは、排紙トレイ管理部９２の固有の値で、その他の値は、各排紙トレイ９１のＩＤ情報のコピーである。
【００３９】
排紙トレイ管理部９２で管理される排紙トレイ９１のＩＤ情報は、図５に示すように、排紙トレイ装着口１１をベースに集約管理される。
【００４０】
次に、これらの複合機におけるプリントジョブ実行時の動作について図６に示すフロー図を参照して説明する。
まず、ユーザが排紙トレイ９１と排紙トレイ９１が装着可能な装置（複合機１）に対して、ＩＤ情報を任意に設定し、ユーザが外部端末装置等からプリントジョブを設定する。その後、複合機１はユーザにプリントジョブに対して排紙取出ロック９７、排紙トレイ装着ロック１２、ユーザＩＤ、ユーザＰＡＳＳを任意に設定させ、又は強制設定させる。そして、ロック設定後、プリントジョブを実行し、ジョブを受信した装置が自動で排紙トレイを設定し（後述する図１０の処理）、排紙トレイの決定／未決定に応じた処理（後述する図１５の処理）を行う。
【００４１】
例えば、ユーザは、自身が実行したいジョブを排紙トレイ９１Ａに排紙したい場合、複合機１の操作部５１から排紙トレイ９１Ａに対して、ユーザＩＤ、排紙ジョブプリンタの設定をまず行なう。これらに対して、セキュリティが必要な場合、排紙取出ロック９５、排紙トレイ装着ロック１２、ユーザＰＡＳＳ等を設定する。ユーザＩＤはジョブの排紙先としての指定には使用されるが、ＩＤだけではロックはかからない。ロック設定を実施（ＯＮ）したときには、ユーザＰＡＳＳを同時に設定して、ロックのセキュリティを確保する。また、排紙取出や排紙トレイ装着をロックしたものについて、ユーザＰＡＳＳが空白や未設定の場合には、ユーザＰＡＳＳなしで排紙取出や排紙トレイ装着がロック可能となる。設定したロックに対して、ユーザＰＡＳＳまでのセキュリティが必要か否かは設定者に委ねられる。
【００４２】
複合機１の操作部５１からのＩＤ情報設定なしで、外部情報端末１０２からプリントジョブを実施する場合には、プリントジョブ実行時に、ＩＤ情報として必要な情報をジョブに添付して送信する。いずれの排紙トレイ９１に設定が割り当てられるかに関しては、複合機１の自動設定機能に委ねることになる。
【００４３】
また、処理の途中でエラー又は警告が発生して処理中断をしたときには、ユーザに対してエラー又は警告の内容が外部情報端末１０２、操作部５１などから通知され、指示に従ってユーザがエラー又は警告を解消することで、プリントジョブが再開される。
【００４４】
次に、コピージョブ実行時の動作について図７に示すフロー図を参照して説明する。
ここでは、ＩＤカード２０１又はＲＦＩＤカード１０１を任意に使用し、必要に応じて、複合機１にユーザを認識させる。複合機１は、ユーザがカードを使用した場合、ユーザＩＤの入力を免除（全自動設定）し、ユーザＰＡＳＳ認証を免除する。そして、ユーザが排紙トレイ９１と排紙トレイ９１が装着可能な装置（複合機１）に対して、ＩＤ情報を任意に設定し、ユーザがコピージョブを設定する。その後、複合機１はユーザにコピージョブに対して排紙取出ロック９７、排紙トレイ装着ロック１２、ユーザＩＤ、ユーザＰＡＳＳを任意に設定させ、又は強制設定させる。そして、ロック設定後、プリントジョブを実行し、ジョブを受信した装置が自動で排紙トレイを設定し（後述する図１０の処理）、排紙トレイの決定／未決定に応じた処理（後述する図１５の処理）を行う。
【００４５】
つまり、ここでは、プリントやファックスと異なり、コピー時には、ユーザには設定を簡素化するための選択権が与えられている。具体的には、コピーの実施開始時は、ユーザが複合機１の前にいることが前提となるため、ユーザ情報の入力や認証に関して、ＩＤカード２０１やＲＦＩＤカード１０１の使用が可能となる。同カード１０１、２０１を複合機１が検出可能な位置で認識している場合は、ユーザＩＤやユーザＰＡＳＳに関する処理は、簡素化される（ユーザの入力免除（全自動設定）、ユーザＰＡＳＳ認証免除）。
【００４６】
その上で、ユーザが排紙トレイ９１と排紙トレイ９１が装着可能な複合機１に対して、ＩＤ情報を任意に設定する。例えば、ユーザは自身が実行したいジョブをトレイ９１Ａに排紙したい場合、排紙トレイ９１Ａに対して、ユーザＩＤ、排紙ジョブプリンタの設定をまず行なう。これらに対して、セキュリティが必要な場合、排紙取出ロック、排紙トレイ装着ロック、ユーザＰＡＳＳ等を設定する。ユーザＩＤはジョブの排紙先としての指定には使用されるが、ＩＤだけではロックはかからない。ロック設定を実施したときには、ユーザＰＡＳＳを同時に設定して、ロックのセキュリティを確保する。
【００４７】
また、排紙取出や排紙トレイ装着をロックしたものについて、ユーザＰＡＳＳが空白や未設定の場合には、ユーザＰＡＳＳなしで排紙取出や排紙トレイ装着がロック可能となる。設定したロックに対して、ユーザＰＡＳＳまでのセキュリティが必要か否かは設定者に委ねられる。
【００４８】
複合機１の操作部５１からのＩＤ情報設定なしで、コピージョブを実施する場合には、どの排紙トレイ９１に設定が割り当てられるかに関しては、複合機１の自動設定機能に委ねることになる。
【００４９】
また、コピーの場合、エラー又は警告の発生時には、ユーザに対してエラー又は警告の内容が直接複合機１の操作部５１に表示されて通知され、指示に従ってユーザがエラー又は警告を解消することで、コピージョブが再開される。
【００５０】
次に、ファックスジョブ実行時の動作について図８に示すフロー図を参照して説明する。
ここでは、ユーザが排紙トレイ９１と排紙トレイ９１が装着可能な装置（複合機１）に対して、ＩＤ情報を任意に設定する。その後、ファックスに対応するため、親展番号＝ユーザＩＤとして、ファックスボックスＦＡＸＢＯＸ＃Ａ〜Ｎ等をＩＤ情報として登録可能とする。また、ファックスに対応するため、親展専用ユーザＩＤのファックスボックスＦＡＸＢＯＸ＃を個人持ちのユーザＩＤにリンクして管理することも可能とし、また、１ユーザＩＤに複数のファックスボックスＦＡＸＢＯＸ＃をリンクさせることも可能とする。その後、外部ＦＡＸ端末１０４からファックスジョブを受信し、ジョブを受信した装置が自動で排紙トレイを設定し（後述する図１０の処理）、排紙トレイの決定／未決定に応じた処理（後述する図１５の処理）を行う。
【００５１】
つまり、ファックス機能については、具体的にはファックス受信時、受信後のファックス排紙処理が本発明の部分となる。
通常のファックスでは、排紙されたものを受け取るべき受信者情報がはっきりしない。そのため、ユーザＩＤ設定がなく、かつ排紙ジョブ設定として、ファックスが有効になっている排紙トレイがひとつだけあれば、そこにファックスジョブは全て排紙される。複数の排紙トレイ９１にファックスの設定がなされていた場合には、トレイ間の区別がつかないため、ファックスジョブは、排紙トレイ共通９５に排紙される。
【００５２】
排紙取出ロック機能を有効に使用可能な場合は、ファックスの親展機能が使用されている場合である。親展データには親展ＩＤないし親展ＢＯＸ（ボックス）番号というような情報が付与されている。このような親展データ受信を想定し、親展ＢＯＸ専用のユーザＩＤとして、「ＦＡＸＢＯＸ＃Ａ」や「ＦＡＸＢＯＸ＃Ｂ」というようなＩＤを親展ＢＯＸ番号とリンクさせて登録し、親展データは、親展専用のユーザＩＤをもつ排紙トレイに振り分けるようにしての使用が可能である。
【００５３】
また、仮に親展データを排紙するに相応しい排紙トレイが選択できない場合には、親展データは印刷排紙することなく、装置内に親展ジョブデータとして保持することとなる。親展ジョブデータが保存されているとき、ユーザは、親展ファックスジョブを任意にプリントアウト（印刷実行）をすることとなる。
【００５４】
次に、ロック済の排紙トレイから排紙を回収するときの動作について図９に示すフロー図を参照して説明する。
ここでは、ユーザＩＤを使用するかを判別し、ユーザＩＤを使用するときにはカードを使用するかを判別し、カードを使用するときには、ＩＤカード２０１又はＲＦＩＤカード１０１を任意に使用し、必要に応じて、複合機１にユーザを認識させる。複合機１は、ユーザがカードを使用した場合、ユーザＩＤの入力を免除（全自動設定）し、ユーザＰＡＳＳ認証を免除する。
【００５５】
また、カードを使用しないときには、操作部５３から入力されるユーザＩＤを取りこんで、ＰＡＳＳ照合を行う（後述する図１８の処理）。
【００５６】
そして、複合機１は、排紙取出ロック中のジョブを操作部５３にガイダンス表示する（例えば図に示すようなガイダンス）。その後、「排紙取出ロック９７をアンロックします、アンロックトレイを選択して下さい」の表示を行う。ここで、所要の排紙トレイ９１が選択された後コマンドを実行する。
【００５７】
次いで、取出後、排紙取出ロック及び排紙装着ロック以外のＩＤ情報をクリアするか否かを判別し、クリアするときには、選択された排紙トレイ９１の排紙可能用紙サイズＭＡＸを除くＩＤ情報を消去し、クリアしないときには、選択された排紙トレイ９１の排紙取出ロック、排紙装着ロックのＩＤ情報を消去する。これにより、所要の排紙トレイ９１がアンロックされ、ユーザが排紙を回収する。
【００５８】
これに対し、ユーザＩＤが使用されないときには、複合機１のジョブ履歴を参照し、ジョブの排紙状況及び排紙先を確認し、排紙トレイ手動設定を使用して排紙トレイをアンロックする（後述する図１７の処理）。
【００５９】
つまり、ここでも、装置（複合機１）にて排紙トレイ９１から排紙を回収するときには、ユーザには設定を簡素化するための選択権が与えられている。具体的には、排紙回収時はユーザが装置前にいることが前提となるため、ユーザ情報の入力や認証に関して、ＩＤカード２０１やＲＦＩＤカード１０１の使用が可能となる。同カードを装置が検出可能な位置で認識している場合は、ユーザＩＤやユーザＰＡＳＳに関する処理は、簡素化される。カードがない場合でも、自身のユーザＩＤとユーザＰＡＳＳを入力可能であれば、排紙回収操作は可能である。
【００６０】
ユーザＩＤを利用する場合には、ユーザＰＡＳＳまでの照合が完了すると、排紙トレイ上に蓄積されているジョブが操作部５３に表示される。これをユーザはアンロックすることで排紙を回収することができる。アンロックする排紙トレイは任意に選択可能であるため、トレイＡ（９１Ａ）は回収して、トレイＢ（トレイ９１Ｂ）は回収せずロックされたまま、というような処理も可能となる。
【００６１】
排紙トレイから排紙の回収後には、排紙トレイ９１のロック９８をアンロックしたままにすると同時に、ユーザが排紙トレイ９１を占有するために自動ないし手動で設定されたＩＤ情報を全リセットするかを選択実行することができる。
【００６２】
引き続き排紙トレイ９１を占有したい場合には、ＩＤ情報の全リセットを選択せずにしておけばよい。引き続き排紙トレイを占有するつもりがない場合には、任意のユーザが自由に使用可能なようにＩＤ情報を全リセットして、占有を解除する。
【００６３】
次に、自動でユーザトレイを決定するための動作について図１０に示すフロー図を参照して説明する。
ここでは、自動でユーザトレイを検索し、排紙先の排紙トレイ９１を決定する（後述する図１１の処理）。また、自動でユーザ無トレイを検索し、ユーザトレイとしてＩＤ情報を設定し、排紙先の排紙トレイを決定する（後述する図１２の処理）。
【００６４】
つまり、おおまかに、以下の２つの条件を前提として排紙トレイを決定している。
（１）ユーザがあらかじめ設定済である排紙トレイが存在することを前提
（２）ユーザがあらかじめ設定済である排紙トレイが存在しないが、だれも設定を実施していない排紙トレイあることを前提
【００６５】
そして、ユーザがあらかじめ設定済の排紙トレイが見つかった場合には、それを今回のジョブの排紙トレイとして決定する。ユーザがあらかじめ設定済の排紙トレイがなくても、自由に設定可能な排紙トレイが見つかれば、それに必要な設定を施して、今回のジョブの排紙トレイとして決定する。ユーザがあらかじめ設定済のものも無ければ、自由に設定可能な排紙トレイも見つからなければ、排紙トレイ未決定のまま、ここでの処理は終了し、まったく別の処理中で、エラーや警告に対して対応を取ることになる。
【００６６】
具体的には、図１１ないし図１４に示すフロー図を参照して説明する。
先ず、図１１に示す排紙トレイ管理部のＩＤ情報から自動でユーザ排紙トレイを検索する動作の場合には、排紙トレイ装着口１１Ａないし１１Ｎについて、順次、ＩＤ情報を参照して、ＩＤ情報の一致確認を行う。
【００６７】
次に、図１２に示す排紙トレイ管理部のＩＤ情報から自動でユーザ無し排紙トレイを検索する動作では、排紙トレイ装着口１１Ａないし１１Ｎについて、順次、ＩＤ情報を参照して、ＩＤ情報が未設定で排紙トレイとして使用可能かを確認して自動設定を行う（後述する図１４の処理）。
【００６８】
次に、図１３に示す排紙トレイ管理部のＩＤ情報から１トレイずつ自動でユーザ排紙トレイを検索する動作では、排紙トレイ決定済みでなければ、ＩＤ情報の排紙トレイ装着検出［０］＝「１」（設定、以下同じ）、ＩＤ情報のユーザ設定［１］＝１、ＩＤ情報のユーザＩＤがジョブ対象者と一致、ＩＤ情報の排紙可能用紙サイズＭＡＸが排紙ジョブサイズ以上、排紙ジョブがプリント、ＩＤ情報の排紙ジョブ選択［０］＝１であれば、ＩＤ情報参照中の排紙トレイ装着口１１の排紙トレイ９１を排紙先に決定する。
【００６９】
これに対し、ＩＤ情報の排紙トレイ装着検出［０］＝「１」（設定、以下同じ）、ＩＤ情報のユーザ設定［１］＝１、ＩＤ情報のユーザＩＤがジョブ対象者と一致、ＩＤ情報の排紙可能用紙サイズＭＡＸが排紙ジョブサイズ以上、ＩＤ情報の排紙ジョブ選択＝１のいずれかでなければ、ＩＤ情報参照中の排紙トレイ装着口１１の排紙トレイ９１を排紙先としない。
【００７０】
また、排紙ジョブがプリントでなければ、排紙ジョブがコピーで、ＩＤ情報の排紙ジョブ選択［１］＝１であれば、ＩＤ情報参照中の排紙トレイ装着口１１の排紙トレイ９１を排紙先に決定し、ＩＤ情報の排紙ジョブ選択［１］＝１でなければ、ＩＤ情報参照中の排紙トレイ装着口１１の排紙トレイ９１を排紙先としない。
【００７１】
また、排紙ジョブがコピーでなく、ファックスであり、ＩＤ情報の排紙ジョブ選択［２］＝１であれば、ＩＤ情報参照中の排紙トレイ装着口１１の排紙トレイ９１を排紙先に決定し、ファックスでもないとき、あるいは、ＩＤ情報の排紙ジョブ選択［２］＝１でなければ、ＩＤ情報参照中の排紙トレイ装着口１１の排紙トレイ９１を排紙先としない。
【００７２】
次に、図１４に示す排紙トレイ管理部のＩＤ情報から１トレイずつ自動でユーザ無し排紙トレイを検索する動作では、排紙トレイ決定済みでなければ、ＩＤ情報の排紙トレイ装着検出［０］＝「１」（設定、以下同じ）、ＩＤ情報のユーザ設定［１］＝「０」、ＩＤ情報のユーザ設定［０］＝「０」、ＩＤ情報の排紙可能用紙サイズＭＡＸが排紙ジョブサイズ以上、ＩＤ情報の排紙ジョブ選択［３：０］＝「００００」、排紙ジョブがプリントであれば、ＩＤ情報の排紙ジョブ選択［０］＝「１」を設定し、ＩＤ情報参照中の排紙トレイ装着口１１の排紙トレイ９１を排紙先に決定する。
【００７３】
これに対し、ＩＤ情報の排紙トレイ装着検出［０］＝「１」、ＩＤ情報のユーザ設定［１］＝「０」、ＩＤ情報のユーザ設定［０］＝「０」、ＩＤ情報の排紙可能用紙サイズＭＡＸが排紙ジョブサイズ以上、ＩＤ情報の排紙ジョブ選択［３：０］＝「００００」のいずれかでなければ、ＩＤ情報参照中の排紙トレイ装着口１１の排紙トレイ９１を排紙先としない。
【００７４】
また、排紙ジョブがプリントでなければ、排紙ジョブがコピーであれば、ＩＤ情報の排紙ジョブ選択［１］＝１に設定し、ＩＤ情報参照中の排紙トレイ装着口１１の排紙トレイ９１を排紙先に決定する。
【００７５】
また、排紙ジョブがコピーでなく、ファックスであれば、ＩＤ情報の排紙ジョブ選択［２］＝１に設定し、ＩＤ情報参照中の排紙トレイ装着口１１の排紙トレイ９１を排紙先に決定し、ファックスでもないときには、ＩＤ情報参照中の排紙トレイ装着口１１の排紙トレイ９１を排紙先としない。
【００７６】
次に、排紙トレイの決定／未決定の判別と排紙処理の動作について図１５に示すフロー図を参照して説明する。
ここでは、排紙トレイが決定済みであるか否かを判別し、排紙トレイが決定済みであれば、決定された排紙トレイが排紙トレイ共通９５か否かを判別し、決定された排紙トレイが排紙トレイ共通９５でなければ、ロック動作と同時に決定済みの排紙トレイ９１に排紙ジョブを実行する（後述の図１６に示す処理）。ここで、決定された排紙トレイ９１が装着されていなければ、警告として、例えば「排紙ジョブを中断します。手動設定で排紙トレイを使用可能とするか、自動設定可能な排紙トレイを装着して下さい」のメッセージを表示する。
【００７７】
また、決定された排紙トレイが排紙トレイ共通９５であれば、ロック無し動作に変更し、排紙トレイ共通９５に排紙ジョブを実行する。
【００７８】
これに対して、排紙トレイが決定済みでなければ、親展ファックスジョブか否かを判別して、親展ファックスジョブでなければ、自動設定で空き排紙トレイが見つからなかったとき、ユーザに空き排紙トレイが見つからなかったことを通知し、排紙ジョブをロックすることを中止し、排出先を排紙トレイ共通９５（共通排紙トレイ）に変更するか否かをユーザに選択させ、共通排紙トレイに排紙するときには、ロック無し動作に変更し、排紙トレイ共通９５に排紙ジョブを実行する。また、共通排紙トレイに変更しないときには、上述した警告メッセージを表示する。
【００７９】
また、親展ファックスジョブのときには、排紙ジョブを延期し、ジョブデータをまま装置内に保存する。
【００８０】
次に、図１５の排紙トレイ決定後の排紙とロックの動作について図１６に示すフロー図を参照して説明する。
ここでは、排紙先に決定した排紙トレイを対象に処理を開始し、ジョブ要求された内容とおり、ＩＤ情報、排紙トレイ装着ロック、排紙取出ロックを設定し、ジョブ要求時に要求された内容通り、排紙トレイ装着ロックを物理的にロックし、ジョブ要求時に要求された内容通り、排紙トレイの排紙取出ロックを物理的にロックした後、排紙ジョブを実行する。
【００８１】
つまり、排紙トレイ９１Ａ〜９１Ｎのいずれかにジョブが振り分けられたときには、ロック付きの排紙トレイ９１に排紙し、排紙トレイ９１Ａ〜１９Ｎにジョブを振り分けられない理由がある場合には、排紙トレイ共通９５に排紙を実行するか、排紙ジョブそのものを中断する。
【００８２】
次に、手動で排紙トレイのＩＤ情報を設定する動作について図１７に示すフロー図を参照して説明する。
ここでは、排紙トレイ管理部９２のＩＤ情報一覧から装着検出済みの排紙トレイのリストを操作部５３に呼び出して表示する。ユーザが操作部５３の表示リストから排紙トレイを選択し、選択が確認できれば反映させるためにＥＮＴＥＲ入力される。
【００８３】
その後、ＰＡＳＳ照合（後述の図１８に示す処理）を行い、ＰＡＳＳ照合が成功したら次処理へ、ＰＡＳＳ照合が失敗ならエラー処理へ移行する。そして、排紙取出ロックＯＮ／ＯＦＦ、排紙トレイ装着ロック、排紙ジョブ選択、ユーザ設定、ユーザＩＤ、ユーザＰＡＳＳの設定表示画面が許可される。その後、任意に再設定を実施し、再設定が確認できればＥＮＴＥＲ入力が行われ、ＰＡＳＳ照合（図１８に示す処理）を行って、ＰＡＳＳ照合が成功したら次処理へ、ＰＡＳＳ照合が失敗なら設定中が面に戻る。そして、装置により各ＩＤ設定及びロック設定が更新される。
【００８４】
次に、図１７に示すＰＡＳＳ照合の動作について図１８に示すフロー図を参照して説明する。
ここでは、ＩＤカード２０１やＲＦＩＤカード１０１からユーザＩＤやユーザＰＡＳＳを照合済か否か判別して、照合済みであれば、ＰＡＳＳ照合＝成功として処理する。
【００８５】
また、照合済みでなければ、照合対象にＰＡＳＳは設定済みか否か判別し、設定済みでなければ、ＰＡＳＳ照合＝成功として処理する。
【００８６】
これに対し、ＰＡＳＳ設定済みであれば、ユーザＰＡＳＳ入力画面を表示し、ユーザＰＡＳＳ入力を行って（ＥＮＮＴＥＲ入力）、ＰＡＳＳが正しいか否か判別し、ＰＡＳＳが正しければ、ＰＡＳＳ照合＝成功として処理する。また、ＰＡＳＳが正しくなければ、ＰＡＳＳ失敗回数をインクリメントして、規定回数ＰＡＳＳ失敗となれば、ＰＡＳＳ照合＝失敗として処理する。
【００８７】
このように、ロック付きの排紙トレイの使用を開始するときには、まず手動設定により、所有者を決定付けるためのユーザＩＤやユーザＰＡＳＳ、どのジョブに対応するのかの排紙ジョブ選択の設定を実施するのか好適な使用法である。
【００８８】
次に、排紙トレイ管理部の排紙トレイＩＤ情報一覧の更新動作について図１９に示すフロー図を参照して説明する。
ここでは、電源ＯＮ、排紙トレイ装着検出変化、排紙ジョブ要求発生、排紙ジョブ完了、手動制御で排紙トレイＩＤ情報設定発生、電源ＯＦＦ要求発生のいずれかであれば、全排紙トレイ装着口１１にある排紙トレイ９１のＩＤ情報を収集し、排紙トレイ情報の一覧を更新する。
【００８９】
例えば、各種のイベントが発生した際、装着口１１Ａ〜１１Ｎに排紙トレイ９１が存在するかの確認から、存在する排紙トレイ９１のＩＤ情報について、一括して管理記憶を行なう。例えば、排紙トレイの装着検出に「装着口Ａ、Ｂの値が”１”→”０”→”１”と変化」したとする。実際の動作としては、装着口１１Ａがトレイ９１Ａからトレイ９１Ｂに、装着口１１Ｂがトレイ９１Ｂからトレイ９１Ａに挿し変わる。
【００９０】
ここで、排紙トレイ９１ＡにはユーザＡ、排紙トレイ９１ＢにはユーザＢがそれぞれ割り当てられていたため、トレイの挿しかわり後は、ユーザＡの排紙ジョブは装着口１１Ｂかつ排紙トレイ９１Ａに向けて出力しなければならない。
【００９１】
しかし、従前の装置では、装着口と排紙トレイを同一と看做しているため、上記のような状況でも動かすことができない装着口９１Ａの排紙トレイ９１ＢにユーザＡのジョブを排紙してしまうという動作を行なっている。
【００９２】
これに対して、上述したように、常に各排紙トレイのＩＤ情報を管理することで、ユーザＡが所有権のあるトレイＡに対して排紙を要求した際に、トレイＡに対して排紙すること可能になる。
【００９３】
このように、上述した画像形成装置及びプログラムによれば、排紙取出ロックが可能な排紙トレイにＩＤ情報が付与され、装着された排紙トレイのＩＤ情報に基づいて所定の排紙トレイに対する排紙動作を行うので、ＩＤ情報にもとづく排紙振分の制御（設定／解除）が可能となる。この振分の制御には、ユーザＩＤ、プリンタ排紙ＯＮ／ＯＦＦ、コピー排紙ＯＮ／ＯＦＦ、ファックス排紙ＯＮ／ＯＦＦ、排紙可能用紙サイズＭＡＸ、排紙可能用紙方向（縦／横）の情報を利用することができる。
【００９４】
まあ、ＩＤ情報に基づく排紙取出ロックの制御（設定／解除）が可能となる。ロックには、ユーザＩＤ、ユーザＰＡＳＳ、ユーザＩＤ設定ＯＮ／ＯＦＦ、ユーザＰＡＳＳ設定ＯＮ／ＯＦＦ、取出口ロック設定ＯＮ／ＯＦＦ、着脱ロック設定ＯＮ／ＯＦＦの情報を利用することができる。
【００９５】
より具体的には、排紙取出ロックが可能な排紙トレイを複数備える画像形成装置において、着脱可能な排紙トレイにＩＤ情報を付与するので、排紙トレイが取付られる排紙トレイ着脱口が変更されても、矛盾なく、排紙トレイに設定されたユーザ情報に基づき排紙トレイ位置を認識するので、装置を正しい排紙トレイに排紙動作をさせることができる。
【００９６】
さらに、排紙取出ロックが可能な排紙トレイにＩＤ情報として排出可能用紙サイズＭＡＸ、排紙可能用紙方向（縦／横）を付与することで、排紙トレイに排出不可能なサイズの排紙を回避することができる。
【００９７】
さらに、排紙取出ロックが可能な排紙トレイにユーザ情報以外の振分情報として、プリンタ排紙ＯＮ／ＯＦＦ、コピー排紙ＯＮ／ＯＦＦ、ファックス排紙ＯＮ／ＯＦＦの情報を付与することで、排紙トレイに設定された排紙ジョブ情報に基づいて装置が排紙動作をすることができる。この動作により、プリンタやコピー排紙の間にファックスの排紙が混在しないので、ユーザが排紙に気が付かないという問題を回避することができる。
【００９８】
さらに、排紙取出ロック機構を排紙トレイそのものに付与することで、排紙トレイが装置から外された状態においても排紙取出ロック機能が保持可能とすることができる。
【００９９】
さらに、排紙トレイにて排紙取出ロック、排紙トレイが装着される装置側の装着口にて排紙トレイ装着ロックというように、ロック機構／機能を排紙トレイと排紙トレイが装着される装置で分離することで、排紙取出ロック状態を維持したまま、排紙トレイ装着ロックの解除のみで排紙トレイの交換が可能となり、占有されていた排紙トレイ装着口の有効利用を可能とすることができる。
【０１００】
なお、上記実施形態では、本発明を画像形成装置に適用した例で説明しているが、例えば画像形成装置と情報処理装置とを組み合わせた画像形成システムに適用して、画像形成装置側から情報処理装置側に排紙トレイに関する情報を通知する構成とすることもできる。また、ＩＤ情報を格納したＩＤ格納手段が設けられ、排紙取出ロックが可能な複数の排紙トレイを排紙トレイ装着口に着脱自在に装着可能な画像形成装置の排紙動作時に排紙トレイのＩＤ格納手段に格納されたＩＤ情報に基づいて所定の排紙トレイに排紙を行わせる画像形成方法として構成することもできる。
【図面の簡単な説明】
【０１０１】
【図１】本発明に係る画像形成装置である複合機の一例の全体構成を説明するブロック説明図である。
【図２】本発明に係る画像形成装置である複合機の他の例の全体構成を説明するブロック説明図である。
【図３】ＩＤ情報の一例の説明に供する説明図である。
【図４】排紙トレイ管理部で管理される排紙トレイ１個当たりのＩＤ情報の説明に供する説明図である。
【図５】排紙トレイ管理部で管理される排紙トレイのＩＤ情報一覧の説明に供する説明図である。
【図６】プリントジョブ実行時の動作の説明に供するフロー図である。
【図７】コピージョブ実行時の動作の説明に供するフロー図である。
【図８】ファックスジョブ実行時の動作の説明に供するフロー図である。
【図９】ロック済の排紙トレイから排紙を回収するときの動作の説明に供するフロー図である。
【図１０】自動でユーザトレイを決定するための動作の説明に供するフロー図である。
【図１１】排紙トレイ管理部のＩＤ情報から自動でユーザ排紙トレイを検索する動作の説明に供するフロー図である。
【図１２】排紙トレイ管理部のＩＤ情報から自動でユーザ無し排紙トレイを検索する動作の説明に供するフロー図である。
【図１３】排紙トレイ管理部のＩＤ情報から１トレイずつ自動でユーザ排紙トレイを検索する動作の説明に供するフロー図である。
【図１４】排紙トレイ管理部のＩＤ情報から１トレイずつ自動でユーザ無し排紙トレイを検索する動作の説明に供するフロー図である。
【図１５】排紙トレイの決定／未決定の判別と排紙処理の動作の説明に供するフロー図である。
【図１６】排紙トレイ決定後の排紙ろロックの動作の説明に供するフロー図である。
【図１７】手動で排紙トレイのＩＤ情報を設定する動作の説明に供するフロー図である。
【図１８】ＰＡＳＳ照合の動作の説明に供するフロー図である。
【図１９】排紙トレイ管理部の排紙トレイＩＤ情報一覧の更新動作の説明に供するフロー図である。
【符号の説明】
【０１０２】
１…複合機
２…複写（コピーとスキャナ）装置部
３…画像形成（プリンタ）装置部
４…ファックス装置部
５…複合機制御部
６…ＡＤＦ装置部
７…給紙装置部
８…搬送装置部
９…排紙装置部
１１…排紙トレイ装着口
１２…排紙トレイ装着ロック
９１…排紙トレイ
９２…排紙トレイ管理部
９３…排紙トレイロック制御部
９４…ＲＦＩＤリードライタ
９８…ＲＦＩＤ
９７…取出ロック
【図１】
2009184240.tif 000003
【図２】
2009184240.tif 000004
【図３】
2009184240.tif 000005
【図４】
2009184240.tif 000006
【図５】
2009184240.tif 000007
【図６】
2009184240.tif 000008
【図７】
2009184240.tif 000009
【図８】
2009184240.tif 000010
【図９】
2009184240.tif 000011
【図１０】
2009184240.tif 000012
【図１１】
2009184240.tif 000013
【図１２】
2009184240.tif 000014
【図１３】
2009184240.tif 000015
【図１４】
2009184240.tif 000016
【図１５】
2009184240.tif 000017
【図１６】
2009184240.tif 000018
【図１７】
2009184240.tif 000019
【図１８】
2009184240.tif 000020
【図１９】
2009184240.tif 000021